(57)【要約】      （修正有）【課題】胴体の外周形状と、摺接要素の形態とを独立して変更可能なコマ玩具を提供する。【解決手段】胴体の爪４１ｅの上面と軸部の爪の下面とを上下方向で重なり合わせて胴体と軸部とを結合させるとともに、胴体の摺接要素４３ｅと軸部の摺接要素とを上下方向で当接させて回転抵抗として機能させるコマ玩具において、胴体は、当該胴体の外周を構成し爪４１ｅが設けられた胴主体と、摺接要素４３ｅが設けられ、且つ、胴主体の上に着脱可能で装着時に胴主体に固定されるチップと、を備えている。【選択図】図６
2020062137.tif 000002
【特許請求の範囲】
【請求項１】
第１の爪及び第１の摺接要素を有する胴体と、
第２の爪及び第２の摺接要素を有する軸部と、
を備え、
前記第１の爪と前記第２の爪とが上下方向で重なり合わない位置で前記胴体と前記軸部とを上下方向から突き合わせ、付勢部材の付勢力に抗した状態で前記胴体を前記軸部に対して前記接地部材の軸心を中心として一方向に所定量相対回転させ、前記第１の爪の上面と前記第２の爪の下面とを上下方向で重なり合わせて前記胴体と前記軸部とを結合させるとともに、前記第１の摺接要素と前記第２の摺接要素とを上下方向で当接させて回転抵抗として機能させるコマ玩具において、
前記胴体は、当該胴体の外周を構成し前記第１の爪が設けられた胴主体と、前記第１の摺接要素が設けられ、且つ、前記胴主体の上に着脱可能で装着時に前記胴主体に固定されるチップと、を備えたことを特徴とするコマ玩具。
【請求項２】
前記胴主体の中央には、前記第１の爪が形成された第１の突出部が下方に突出して設けられ、前記チップの中央には、前記第１の摺接要素が形成された第２の突出部が下方に突出して設けられ、前記胴主体に対して前記チップを固定したときに、前記第２の突出部材が前記胴主体を貫通し前記第１の突出部材と隣り合わせで設けられる、ことを特徴とする請求項１に記載のコマ玩具。
【請求項３】
前記胴主体として、第１の外周形状を有する第１の胴主体と、第１の外周形状とは異なる第２の外周形状を有する第２の胴主体とを備え、前記チップは、前記第１の胴主体に固定されたときと、前記第２の胴主体に固定されたときとで、前記第１の爪から前記第１の摺接要素までの上下方向距離が異なるように構成されていることを特徴とする請求項１又は請求項２に記載のコマ玩具。
【請求項４】
前記第１の胴主体には、前記チップの固定時に前記第１の爪から第１の上下方向距離をもって前記チップの下面に当接する第１の規制部材が設けられ、前記第２の胴主体には、前記チップの固定時に前記第１の爪から前記第１の上下方向距離とは異なる第２の上下方向距離をもって前記チップの下面に当接する第２の規制部材が設けられていることを特徴とする請求項３に記載のコマ玩具。
【請求項５】
前記第１の摺接要素及び前記第２の摺接要素は互いに噛み合う噛合要素であることを特徴とする請求項１〜請求項４のいずれか一項に記載のコマ玩具。
【発明の詳細な説明】
【技術分野】
【０００１】
本発明はコマ玩具に関するものである。
【背景技術】
【０００２】
従来、爪及び起伏部を有する胴体と、爪、突起が設けられた押圧部材、押圧部材を上方に向けて付勢するスプリング、及び、接地部を有する軸部と、を備えたバトルゲーム用のコマ玩具が知られている（例えば、特許文献１参照）。
【０００３】
このコマ玩具は、胴体の爪と軸部の爪とが上下方向で重なり合わない位置で胴体と軸部とを上下方向から突き合わせ、スプリングの付勢力に抗した状態で胴体を軸部に対して軸心を中心として一方向に所定量相対回転させ、胴体の爪の上面と軸部の爪の下面とを上下方向で重なり合わせて胴体と軸部とを結合させるとともに、起伏部と突起とを上下方向で当接させて回転抵抗として機能させるように構成されている。
このようなコマ玩具によれば、相手方のコマ玩具との衝突によって回転抵抗に抗して胴体が軸部に対して軸心を中心に上記一方向とは反対の方向に相対回転すると、胴体の爪と軸部の爪とが上下方向で重なり合わない位置で胴体が軸部から離間して分解される。
【先行技術文献】
【特許文献】
【０００４】
【特許文献１】特許第５７９３６３１号公報
【発明の概要】
【発明が解決しようとする課題】
【０００５】
コマ玩具の強さは、胴体の外周の形状と、胴体の起伏部と軸部の突起との噛合状態とに依存する。
ところが、このようなコマ玩具においては、胴体側においては、胴体の外周を構成する胴主体に爪と起伏部とが隣り合わせで一体的に形成されていた。
したがって、胴体の外周と、胴体の起伏部と軸部の突起との噛合状態との観点からコマ玩具の強さを調整する場合には、爪と起伏部とが形成された胴主体を交換する他はなかった。爪と起伏部のような噛合要素（摺接要素の１つ）に代えて、ゴム等の他の摺接要素を設ける場合も同様である。
本発明は、このような問題点に鑑みなされたもので、胴体の外周形状と、摺接要素の形態とを独立して変更可能なコマ玩具を提供することを目的としている。
【課題を解決するための手段】
【０００６】
第１の手段は、
第１の爪及び第１の摺接要素を有する胴体と、
第２の爪及び第２の摺接要素を有する軸部と、
を備え、
前記第１の爪と前記第２の爪とが上下方向で重なり合わない位置で前記胴体と前記軸部とを上下方向から突き合わせ、付勢部材の付勢力に抗した状態で前記胴体を前記軸部に対して前記接地部材の軸心を中心として一方向に所定量相対回転させ、前記第１の爪の上面と前記第２の爪の下面とを上下方向で重なり合わせて前記胴体と前記軸部とを結合させるとともに、前記第１の摺接要素と前記第２の摺接要素とを上下方向で当接させて回転抵抗として機能させるコマ玩具において、
前記胴体は、当該胴体の外周を構成し前記第１の爪が設けられた胴主体と、前記第１の摺接要素が設けられ、且つ、前記胴主体の上に着脱可能で装着時に前記胴主体に固定されるチップと、を備えたことを特徴とする。
【０００７】
第２の手段は、第１の手段において、前記胴主体の中央には、前記第１の爪が形成された第１の突出部が下方に突出して設けられ、前記チップの中央には、前記第１の摺接要素が形成された第２の突出部が下方に突出して設けられ、前記胴主体に対して前記チップを固定したときに、前記第２の突出部材が前記胴主体を貫通し前記第１の突出部材と隣り合わせで設けられる、ことを特徴とする。
【０００８】
第３の手段は、第１の手段又は第２の手段において、前記胴主体として、第１の外周形状を有する第１の胴主体と、第１の外周形状とは異なる第２の外周形状を有する第２の胴主体とを備え、前記チップは、前記第１の胴主体に固定されたときと、前記第２の胴主体に固定されたときとで、前記第１の爪から前記第１の摺接要素までの上下方向距離が異なるように構成されていることを特徴とする。例えば、第１の胴主体の第１の突出部材と、第２の胴主体の第１の突出部材との突出部材の突出長さを変えるなどすることで、かかる構成を実現できる。
【０００９】
第４の手段は、第３の手段において、前記第１の胴主体には、前記チップの固定時に前記第１の爪から第１の上下方向距離をもって前記チップの下面に当接する第１の規制部材が設けられ、前記第２の胴主体には、前記チップの固定時に前記第１の爪から前記第１の上下方向距離とは異なる第２の上下方向距離をもって前記チップの下面に当接する第２の規制部材が設けられていることを特徴とする。
【００１０】
第５の手段において、第１の手段〜第４の手段のいずれか一の手段において、前記第１の摺接要素及び前記第２の摺接要素は互いに噛み合う噛合要素であることを特徴とする。
【発明の効果】
【００１１】
第１の手段又は第２の手段によれば、外周を形成する胴主体に第１の爪が設けられ、胴主体に着脱されるチップに第１の摺接要素が設けられているので、胴体の外周形状と摺接状態とを独立して変えることができる。
【００１２】
第３の手段によれば、同一のチップを固定した場合でも、第１の胴主体に固定されたときと、第２の胴主体に固定されたときとで、摺接状態を変えることができる。
【００１３】
第４の手段によれば、第１の胴主体の第１の突出部材と、第２の胴主体の第１の突出部材との突出部材の突出長さが同じ場合にも、第１の胴主体に固定されたときと、第２の胴主体に固定されたときとで、摺接状態を変えることができる。
【００１４】
第５の手段によれば、胴体の外周形状と噛合状態とを独立して変えることができる。
【図面の簡単な説明】
【００１５】
【図１】実施形態のコマ玩具とランチャとを示した斜視図である。
【図２】コマ玩具の分解斜視図である。
【図３】軸部及びフライホイールの半部を示した縦断斜視図である。
【図４】胴体の構成部品を示し、（Ａ）はチップの平面図、（Ｂ）はメタルの平面図、（Ｃ）は胴主体の平面図である。
【図５】胴体を上方から見た状態を示した分解斜視図である。
【図６】胴体を下方から見た状態を示した分解斜視図である。
【図７】胴主体にメタルの装着した状態を示した平面図である。
【図８】起伏部の形状を示し、（Ａ）は一方のチップに形成した起伏部の形状を示した図、（Ｂ）は他方のチップに形成した起伏部の形状を示した図である。。
【図９】胴主体の分解斜視図である。
【図１０】爪と起伏部との位置関係を示し、（Ａ）は一方の胴主体における爪と起伏部との位置関係を示した図、（Ｂ）は他方の胴主体における爪と起伏部との位置関係を示した図である。
【図１１】胴体と軸部との結合状態を示した断面図である。
【発明を実施するための形態】
【００１６】
以下、本発明のコマ玩具を図面に示した実施形態に基づいて説明する。
【００１７】
(全体)
図１はコマ玩具及びランチャ（発射装置）の外観を示した斜視図、図２はコマ玩具の分解斜視図である。
このうちコマ玩具１は、例えば、コマ玩具同士の衝突を通じて勝敗を競うバトルゲーム等に使用される。このコマ玩具１は軸部１０、フライホイール３０及び胴体４０を備えている。
【００１８】
(細部)
１．軸部１０及びフライホイール３０
図３は軸部１０及びフライホイール３０の半部を示した斜視図である。この半部に対して残りの半部は点対称となっている。なお、軸部１０及びフライホイール３０の説明において、上下、左右、前後は図３に示す方向を言うものとする。
このうち軸部１０は、下端部に接地部１１、上下方向中間部に鍔１２、上端部に円筒体１３を備える。
鍔１２と円筒体１３とは一体的に形成されている。円筒体１３の中心には柱体１４が設けられている。柱体１４の上端部外周には前後それぞれに半径方向外方に張り出す爪１７が１個ずつ形成されている。この柱体１４は、軸下部１０ａに固定して設けられている。軸下部１０ａの外周面は、鍔１２側から接地部１１の先端側に向けて段階的に縮径し、全体として略逆円錐状に形成されている。この軸下部１０ａは、図示しないネジ等によって鍔１２に固定されている。
鍔１２及び円筒体１３には、前後それぞれに孔１５が１個ずつ鍔１２及び円筒体１３に亘って形成されている。また、円筒体１３の外周面には、左右それぞれに突出部１６が１個ずつ形成されている。各突出部１６の外面は鍔１２の外周面と面一となっている。
【００１９】
また、軸部１０は環状の押圧部材１８を備えている。押圧部材１８は、柱体１４の上端部の外側に嵌まり合う形の環状の上端部１８ｂを有している。この押圧部材１８は、円筒体１３の内側で柱体１４を取り囲むようにして設置されている。押圧部材１８の下端部外周には、前後それぞれに半径方向外方に張り出す脚部１８ａが１個ずつ形成されている。
【００２０】
この押圧部材１８は、各脚部１８ａがそれに対応する孔１５から露出するように組み付けられる。孔１５は脚部１８ａの上下方向の移動を許容するが、孔１５の上縁で脚部１８ａの上方への移動を規制する。また、押圧部材１８は、スプリング１９によって上方に付勢されている。なお、押圧部材１８の上端部１８ｂの上面には、左右それぞれに半径方向に延びる凸条（突起）２０が１個ずつ形成されている。
【００２１】
２．フライホイール３０
フライホイール３０は環状に形成されている。このフライホイール３０は軸部１０の付属部品であり、取り付けられたときには分解される場合を除いて軸部１０と一体化されるが、フライホール３０がなくともコマ玩具１として利用できる。フライホイール３０の下面内周側には軸部１０の鍔１２を下方から収容可能な環状段部３０ａが形成されている。このフライホイール３０の上面には左右それぞれに上方に向けて張り出す突出部３１が１個ずつ形成されている。各突出部３１の下側部分には、軸部１０の突出部１６を下方から収容可能な凹部３２が形成されている。また、フライホイール３０の上面には、各突出部３１の直ぐ外側に上方に延びる舌片３３が形成されている。舌片３３は突出部３１よりも上方に突出している。
【００２２】
３．胴体４０
図４は胴体の構成部品を示し、（Ａ）はチップの平面図、（Ｂ）はメタルの平面図、（Ｃ）は胴主体の平面図である。同図では、２種のチップ４３Ａ、４３Ｂと、１種のメタル４２と、２種の胴主体４１Ａ、４１Ｂとが示されている。
本実施形態の胴体４０は、これらの構成部品の中からチップ及び胴主体を１つずつ選択してメタルと適宜に組み合わせることによって構成される。なお、メタル４２がなくともコマ玩具１として利用できる。
【００２３】
（１）胴主体４１（胴主体４１Ａ、４１Ｂを総称する場合は胴主体４１という。）
先ず、胴主体４１について説明する。なお、胴主体４１Ａ、４１Ｂの共通部分については胴主体４１Ａを例に説明し、胴主体４１Ｂの説明は省略するものとする。
Ａ．共通点
【００２４】
図５は胴体を上方から見た状態を示した分解斜視図、図６は胴体を下方から見た状態を示した分解斜視図である。
胴主体４１Ａは全体として略円盤状に形成されている。胴主体４１Ａの外周には円周方向に沿って複数のブレード４１ａが形成されている。
胴主体４１Ａの左右には孤状スリット４１ｂが１個ずつ形成されている。各孤状スリット４１ｂには狭幅部分が設けられている。
【００２５】
胴主体４１Ａの中央部には略円形の孔４１ｃが形成されている。そして、胴主体４１Ａの下面には、孔４１ｃの前後に、下方に突出する横断面が孤状の突出部４１ｄが１個ずつ設けられている。各突出部４２ｄの内面下端には内向きの爪４１ｅが形成されている。なお、隣り合う突出部４１ｄの間では孔４１ｃの縁の一部が切り欠かれている。この切欠き部４１ｆには後述のチップ４３Ａの突出部４３ｅが配置される。
【００２６】
Ｂ．特有点
胴主体４１Ａの外周には、外縁が円周方向に沿って長く延びる２個のブレード４１０、４１０と、この２個のブレード４１０、４１０の間に３個の小ブレード４１１とが形成されている。そして、ブレード４１０の外縁と小ブレード４１１の先端とは胴体４０の軸心を中心とする１つの仮想円に内接するように形成されている。この胴主体４１Ａによれば、胴主体４１Ａの外周が円に近いため、相手方のコマ玩具に衝突した際に相手方に与える衝撃が比較的に小さく、また、その際に自己のコマ玩具１が受ける衝撃も少ない。
一方、胴主体４１Ｂの外周には円周方向に沿って大小様々な形状の多数の小ブレード４１２が形成されている。この胴主体４１Ｂによれば、外周の起伏が大きく、小ブレード４１２の先端の半径方向位置も不揃いなので、相手方のコマ玩具に衝突した際に相手方に与える衝撃が比較的に大きく、また、その際に自己のコマ玩具１が受ける衝撃も大きい。
【００２７】
（２）メタル４２
メタル４２は、２つの菱形状のメタル部分４２ａ，４２ａを２つ結合した形となっている。この結合部分には６角柱状の位置決め用突起４２ｂが設けられている。なお、位置決め用突起４２ｂを挟んで対向する位置にある他の六角柱部分４２ｃ、４２ｃは肉厚部分となっている。なお、ここでは１つのメタル４２を示しているが、複数種のメタルを用意しておいてもよい。胴主体４１に組み付けられるのであれば、その形状は問わない
なお、メタル４２は図７に示されるように胴主体４２に取り付けられ、胴主体４２とチップ４１Ａの間に挟持される。
【００２８】
（３）チップ４３（チップ４３Ａ、４３Ｂを区別しない場合は胴主体４３という。）
次に、チップ４３について説明する。なお、チップ４３Ａ、４３Ｂの共通部分についてはチップ４３Ａを例に説明し、チップ４３Ｂの説明は省略するものとする。
Ａ．共通点
チップ４３Ａは平面視で蝶形に形成されている。中央部分には、上記メタル４２の位置決め用突起４２ａに嵌合される位置決め用孔４３ａが形成されている。また、チップ４３Ａの中央部左右には位置決め用切欠き４３ｂが形成されている。さらに、チップ４３Ａの前後方向の端には下方に延びる被係止片４３ｃが１個ずつ形成されている。各被係止片４３ｃの内面には凹部４３ｄが形成されている。
また、チップ４３の下面には、上記位置決め用孔４３ａの縁から下方に突出する横断面が孤状の突出部４３ｅが左右に１個ずつ設けられている。この突出部４３ｅの下端には複数の山を連ねて形成された起伏部４３ｆが形成されている。
【００２９】
Ｂ．特有点
２種のチップ４３Ａ、４３Ｂの間では、図８Ａ）、（Ｂ）に示すように、起伏部４３ｆの山のピッチが異なっている。山のピッチが異なる場合には、ピッチが大きい方が１回の衝撃で相対回転する量が大きくなる。
【００３０】
（３）固定装置４４
図９胴主体の分解斜視図である。
この固定装置４４は胴主体４１Ａ、４１Ｂに設けられている。固定装置４４の共通部分について胴主体４１Ａを例に説明し、胴主体４１Ｂの固定装置４４の説明は省略するものとする。
Ａ．共通点
胴主体４１Ａには、チップ４３を胴主体４１に固定するための固定装置４４が設けられている。固定装置４４は、Ｌ字板４４ａと、Ｌ字板４４ａを胴主体４１に取り付けるとともにチップ４３の下面に上面で当接しチップ４３の固定高さ位置を規制する押さえ板４４ｂを備えている。
Ｌ字板４４ａは水平方向に延びる係止部４４ｃと、係止部４４ｃの一端から鉛直方向下方に延びる操作部４４ｄとを備えている。胴主体４１ＡにはこのＬ字板４４ａの係止部４４ｃが嵌まり込む凹部４１ｇが形成され、凹部４１ｇ内の一端には操作部４４ｄが上から挿入される孔４１ｈが形成されている。その結果、操作部４４ｄは胴主体４１Ａの下方から操作可能となっている。また、凹部４１ｇ内の他端にはチップ４３の被係止部４３ｃが上から挿入される凹部４１ｉが形成されている。このＬ字板４４ａの上には押さえ板４４ｂが被せられる。押さえ板４４ｂには円筒状の嵌合部４４ｅが２個付設され、この嵌合部４４ｅは胴主体４１の嵌合孔４１ｊに嵌め込まれる。この状態で、下方から挿入されたネジ（図示せず）を押さえ板４４ｂの嵌合部４４ｅに螺合させることにより、押さえ板４４ｂが胴主体４１に固定される。
そして、チップ４３は押さえ板４４ｂの上に載せられた状態で固定装置４４により固定される。すなわち、チップ４３の被係止部４３ｃは胴主体４１の凹部４１ｉに上から挿入され、凹部４３ｄに係止部４４ｃの先が挿入されることにより、チップ４３が固定される。
【００３１】
Ｂ．特有点
本実施形態の場合、チップ４３の装着時にチップ４３の下面に当接する押さえ板４４ｂは爪４１ｅから起伏部４３ｆまでの上下方向距離の規制部材として機能し、胴主体４１Ａと胴主体４１Ｂとで、当該上下方向距離を異ならしめている。
すなわち、胴主体４１Ａの押さえ板４４ｂは、チップ４３の固定時に爪４１ｅから第１の上下方向距離をもってチップ４３の下面に当接し、一方、胴主体４１Ｂの押さえ板４４ｂは、チップ４３の固定時に爪４１ｅから第１の上下方向距離よりも小さい第２の上下方向距離をもってチップ４３の下面に当接するようになっている。
【００３２】
これによって、次のような効果を得る。
すなわち、胴主体４１Ｂを基調とする胴体４０においては、上述のように、相手方のコマ玩具に衝突した際に相手方に与える衝撃が比較的に大きく、また、その際に自己のコマ玩具１が受ける衝撃も大きい。そのため、相手方のコマ玩具に衝突した際に胴体４０が軸部１０に対してコマ玩具１の回転方向とは反対方向に相対回転しやすい。一方、胴主体４１Ａを基調とする胴体４０においては、上述のように、相手方のコマ玩具に衝突した際に相手方に与える衝撃が比較的に小さく、また、その際に自己のコマ玩具１が受ける衝撃も小さい。そのため、相手方のコマ玩具に衝突した際に胴体４０が軸部１０に対してコマ玩具１の回転方向とは反対方向に相対回転しにくい。
そして、このような状況の下で、同一チップ４３を用い、噛合状態を同じとすれば、どうしても胴主体４１Ａを基調とする胴体４０を持つコマ玩具１の方が胴主体４１Ｂを基調とする胴体４０を持つコマ玩具１に比べて分解されにくくなってしまう。これでは、対等のバトルができない。
そこで、実施形態では、例えば同一チップ４３Ａを用いる場合でも、胴主体４１Ｂに装着するときには噛合の深さを深くし（図１０（Ａ））、分解されにくいようにし、胴主体４１Ａに装着するときには噛合の深さを浅くし（図１０（Ｂ））、分解されやすいようにした。チップ４３Ｂを用いる場合も同様である。
【００３３】
（コマ玩具１の組立方法）
次に、コマ玩具１の全体の組立方法を説明する。
爪４１ｅと爪１７とが上下方向で重なり合わない位置で胴体４０と軸部１０とを上下方向から突き合わせる。すると、爪４１ｅが押圧部材１８をスプリング１９の付勢力に抗して下方に押し下げる。この状態で、胴体４０を軸部１０に対して軸心を中心として一方向に所定量相対回転させる。そして、爪４１ｅの上面と爪１７の下面とを上下方向で重なり合わせて胴体４０と軸部１０とを結合させる（図１１）。この際、凸条２０と起伏部４３ｆとが上下方向で当接される。
【００３４】
（遊び方等）
続いて、このコマ玩具１を使用しての遊び方の一例を説明する。
まず、コマ玩具１の回転力のチャージを行う。このチャージは、図１に示すランチャ６０によって行われる。このランチャ６０は、内部に図示しない円板を備え、その円板を図示しないゼンマイばねで一の回転方向に付勢するとともに、円板の周囲に卷回させた図示しない紐をハンドル６１で引くと、円板が回転され、コマホルダー６２が回転されるように構成されている。このコマホルダー６２の回転は、下方に突設されたフォーク６３によってコマ玩具１に伝達され、コマ玩具１を回転させる。この場合、フォーク６３は胴体４０の弧状スリット４１ｄに差し込まれ、フォーク６３の内側に形成された突起６３ｂを孤状スリット４２ｂの狭幅部分下に潜り込ませる。そして、ランチャ６０のハンドル６１を引き切ると、円板ひいてはコマホルダー６２の回転が停止する一方で、コマ玩具１は慣性力によって尚も回転するので、フォーク６３の傾斜面６３ａに倣ってコマ玩具１がコマホルダー６２から外れる。
【００３５】
このようにして放たれたコマ玩具１が相手方のコマ玩具に衝突すると、衝突による衝撃力によって、胴体４０の下面の起伏部４１ｈと凸条２０とは、胴体４０に対して軸部１０が相対回転をするに伴って、噛み合い位置を変更する。そして結合解除位置に達すると、胴体４０の爪４１ｇと軸部１０の爪１７との係止が解除され、軸部１０内のばね１９の付勢力によって胴体４０が軸部１０から離反する。
【００３６】
(本発明の変形)
以上、本発明を実施形態に基づいて説明したが、本発明は、かかる実施形態には限定されず、種々の変形が可能であることは言うまでもない。
例えば、上記実施形態では、噛合要素として凸条２０と起伏部４３ｆを挙げたが、両方が起伏部であってもよいし、胴体３０側に凸条を、軸部１０側に起伏部を設けてもよい。
また、摺接要素である噛合要素の他、凸条２０及び起伏部４３ｆに代えてゴム等の回転抵抗となり得るその他の摺接要素を設けてもよい。
さらに、上記実施形態では、チップ４３Ａとチップ４３Ｂとで、起伏部４３ｆの山のピッチを変えたが、山の形状を変えてもよい。
また、上記実施形態では、固定装置４４を設けてチップ４３を胴主体４１に固定するようにしたが、チップ４３が例えば嵌合や弾性爪などによって胴主体４１に装着時に固定されるならば、特別な固定装置は不要である。
【符号の説明】
【００３７】
１       コマ玩具
１７    爪
１８    押圧部材
１９    スプリング
４０    胴体
４１、４１Ａ、４１Ｂ    胴主体
４１ｅ    爪
４２  メタル
４３、４３Ａ、４３Ｂ  チップ
４３ｆ    起伏部
４４  固定装置
【図１】
2020062137.tif 000003
【図２】
2020062137.tif 000004
【図３】
2020062137.tif 000005
【図４】
2020062137.tif 000006
【図５】
2020062137.tif 000007
【図６】
2020062137.tif 000008
【図７】
2020062137.tif 000009
【図８】
2020062137.tif 000010
【図９】
2020062137.tif 000011
【図１０】
2020062137.tif 000012
【図１１】
2020062137.tif 000013
【手続補正書】
【提出日】平成31年4月26日(2019.4.26)
【手続補正１】
【補正対象書類名】明細書
【補正対象項目名】０００６
【補正方法】変更
【補正の内容】
【０００６】
第１の手段は、
第１の爪及び第１の摺接要素を有する胴体と、
第２の爪及び第２の摺接要素を有する軸部と、
を備え、
前記第１の爪と前記第２の爪とが上下方向で重なり合わない位置で前記胴体と前記軸部とを上下方向から突き合わせ、付勢部材の付勢力に抗した状態で前記胴体を前記軸部に対して軸心を中心として一方向に所定量相対回転させ、前記第１の爪の上面と前記第２の爪の下面とを上下方向で重なり合わせて前記胴体と前記軸部とを結合させるとともに、前記第１の摺接要素と前記第２の摺接要素とを上下方向で当接させて回転抵抗として機能させるコマ玩具において、
前記胴体は、当該胴体の外周を構成し前記第１の爪が設けられた胴主体と、前記第１の摺接要素が設けられ、且つ、前記胴主体の上に着脱可能で装着時に前記胴主体に固定されるチップと、を備えたことを特徴とする。
【手続補正２】
【補正対象書類名】明細書
【補正対象項目名】０００７
【補正方法】変更
【補正の内容】
【０００７】
第２の手段は、第１の手段において、前記胴主体の中央には、前記第１の爪が形成された第１の突出部が下方に突出して設けられ、前記チップの中央には、前記第１の摺接要素が形成された第２の突出部が下方に突出して設けられ、前記胴主体に対して前記チップを固定したときに、前記第２の突出部が前記胴主体を貫通し前記第１の突出部と隣り合わせで設けられる、ことを特徴とする。
【手続補正３】
【補正対象書類名】特許請求の範囲
【補正対象項目名】全文
【補正方法】変更
【補正の内容】
【特許請求の範囲】
【請求項１】
第１の爪及び第１の摺接要素を有する胴体と、
第２の爪及び第２の摺接要素を有する軸部と、
を備え、
前記第１の爪と前記第２の爪とが上下方向で重なり合わない位置で前記胴体と前記軸部とを上下方向から突き合わせ、付勢部材の付勢力に抗した状態で前記胴体を前記軸部に対して軸心を中心として一方向に所定量相対回転させ、前記第１の爪の上面と前記第２の爪の下面とを上下方向で重なり合わせて前記胴体と前記軸部とを結合させるとともに、前記第１の摺接要素と前記第２の摺接要素とを上下方向で当接させて回転抵抗として機能させるコマ玩具において、
前記胴体は、当該胴体の外周を構成し前記第１の爪が設けられた胴主体と、前記第１の摺接要素が設けられ、且つ、前記胴主体の上に着脱可能で装着時に前記胴主体に固定されるチップと、を備えたことを特徴とするコマ玩具。
【請求項２】
前記胴主体の中央には、前記第１の爪が形成された第１の突出部が下方に突出して設けられ、前記チップの中央には、前記第１の摺接要素が形成された第２の突出部が下方に突出して設けられ、前記胴主体に対して前記チップを固定したときに、前記第２の突出部 が前記胴主体を貫通し前記第１の突出部と隣り合わせで設けられる、ことを特徴とする請求項１に記載のコマ玩具。
【請求項３】
前記胴主体として、第１の外周形状を有する第１の胴主体と、第１の外周形状とは異なる第２の外周形状を有する第２の胴主体とを備え、前記チップは、前記第１の胴主体に固定されたときと、前記第２の胴主体に固定されたときとで、前記第１の爪から前記第１の摺接要素までの上下方向距離が異なるように構成されていることを特徴とする請求項１又は請求項２に記載のコマ玩具。
【請求項４】
前記第１の胴主体には、前記チップの固定時に前記第１の爪から第１の上下方向距離をもって前記チップの下面に当接する第１の規制部材が設けられ、前記第２の胴主体には、前記チップの固定時に前記第１の爪から前記第１の上下方向距離とは異なる第２の上下方向距離をもって前記チップの下面に当接する第２の規制部材が設けられていることを特徴とする請求項３に記載のコマ玩具。
【請求項５】
前記第１の摺接要素及び前記第２の摺接要素は互いに噛み合う噛合要素であることを特徴とする請求項１〜請求項４のいずれか一項に記載のコマ玩具。